(57)【要約】【課題】システムの状態に応じて電源の効率を最適化して消費電力の無駄を削減することである。【解決手段】機器本体１に対する指示を操作入力し、操作内容や機器本体１の動作状態等を表示するリモコン３と、機器本体１およびリモコン３等に電力を供給する電源２とを有し、システムの動作がある特定の設定された条件になった時に、機器本体１の電源の状態を電源ブロック２ａ或いは２ｂに切り換えることにより低消費電力化を図った。【選択図】  図２
2004180104.tif 000002
【特許請求の範囲】
【請求項１】
機器本体に対する指示を操作入力し、操作内容や機器本体の動作状態等を表示するリモコンと、機器本体およびリモコン等に電力を供給する電源とを有し、システムの動作がある特定の設定された条件になった時に、機器本体の電源の状態を切り換えることを特徴とする遠隔制御システム。
【請求項２】
システムの動作がある特定の設定された条件になった時に、機器本体の電源容量を切り換えることを特徴とする請求項１記載の遠隔制御システム。
【請求項３】
システムの動作がある特定の設定された条件になった時に、機器本体の電源容量を負荷に応じて複数種類を切り換えることを特徴とする請求項１記載の遠隔制御システム。
【請求項４】
電源はメイン電源とサブ電源からなり、メイン電源が動作しているときにはサブ電源を停止することを特徴とする請求項１記載の遠隔制御システム。
【請求項５】
システムの動作がある特定の設定された条件になった時に、機器本体の電源電圧を切り換えることを特徴とする請求項１記載の遠隔制御システム。
【請求項６】
システムの動作がある特定の設定された条件になった時に、複数のリモコンへの電源電圧をリモコン毎に切り換えることを特徴とする請求項５記載の遠隔制御システム。
【請求項７】
システムの動作がある特定の設定された条件になった時に、リモコンへの電源電圧のみを切り換え、他のセンサー等の電源は継続して供給することを特徴とする請求項５記載の遠隔制御システム。
【請求項８】
システムの動作がある特定の設定された条件になった時に、メイン電源をサブ電源に切り換えることを特徴とする請求項５記載の遠隔制御システム。
【請求項９】
システムの動作がある特定の設定された条件になった時に、メイン電源が動作しているときにはサブ電源を停止することを特徴とする請求項５または８記載の遠隔制御システム。
【請求項１０】
システムの動作がある特定の設定された条件になった時に、メイン電源をサブ電源に切り換えるときの出力の接続を、ダイオードを介して行なうことを特徴とする請求項８記載の遠隔制御システム。
【発明の詳細な説明】
【０００１】
【発明の属する技術分野】
本発明は機器本体を、遠隔操作する遠隔制御システムに関するものである。
【０００２】
【従来の技術】
従来この種の遠隔制御システムは、一定の電源により動作させていた。
【０００３】
【発明が解決しようとする課題】
しかしながら、従来の遠隔制御システムでは、一定の電源で動作させているため、負荷の状態によっては電源の効率が悪くなり、また低い電圧での動作が可能な場合でも高い電圧を供給しているため、必要以上の電力を消費するという課題を有していた。
【０００４】
【課題を解決するための手段】
本発明は上記課題を解決するために、負荷の状態に応じて電源の状態を切り換えるようにしたものである。
【０００５】
上記発明によれば、負荷の状態に応じて電源の状態を切り換えるので、効率的な電源供給を行なうことができ、消費電力の削減が可能となる。
【０００６】
【発明の実施の形態】
本発明は、機器本体に対する指示を操作入力し、操作内容や機器本体の動作状態等を表示するリモコンと、機器本体およびリモコン等に電力を供給する電源とを有し、このシステムの動作がある特定の設定された条件になった時に、機器本体の電源の状態を切り換えるようにすることにより低消費電力化した。
【０００７】
また、システムの動作がある特定の設定された条件になった時に、機器本体の電源容量を切り換えることにより低消費電力化した。
【０００８】
また、システムの動作がある特定の設定された条件になった時に、機器本体の電源容量を負荷に応じて複数種類を切り換えることにより低消費電力化した。
【０００９】
またリモコンと、機器本体にはリモコン等に電力を供給するメイン電源とサブ電源とを有し、メイン電源が動作しているときにはサブ電源を停止することにより低消費電力化した。
【００１０】
また、システムの動作がある特定の設定された条件になった時に、機器本体の電源電圧を切り換えることにより低消費電力化した。
【００１１】
また、システムの動作がある特定の設定された条件になった時に、複数のリモコンへの電源電圧をリモコン毎に切り換えることにより低消費電力化した。
【００１２】
また、システムの動作がある特定の設定された条件になった時に、リモコンへの電源電圧のみを切り換え、他のセンサー等の電源は継続して供給することにより低消費電力化した。
【００１３】
また、システムの動作がある特定の設定された条件になった時に、メイン電源をサブ電源に切り換えることにより低消費電力化した。
【００１４】
さらに、システムの動作がある特定の設定された条件になった時に、メイン電源が動作しているときにはサブ電源を停止することにより低消費電力化した。
【００１５】
そして、機器本体に対する指示を操作入力し、操作内容や機器本体の動作状態等を表示するリモコンと、機器本体にはリモコン等に電力を供給する電源とを有し、このシステムの動作がある特定の設定された条件になった時に、メイン電源をサブ電源に切り換えるときの出力の接続をダイオードを介して行なうことにより低消費電力化したものである。
【００１６】
【実施例】
以下、本発明の実施例について図面を用いて説明する。
【００１７】
図１において、１は機器本体、２は機器本体１に内蔵された電源、３はリモコンであり、機器の動作状態がいかなる場合でも、リモコン３に電力を供給する電源２は一定の電圧を供給し、電源容量も一定であった。
【００１８】
図２において、電源２は複数の異なる容量の電源ブロック２ａ，２ｂを有しており、コントローラ４がこれら電源ブロック２ａ，２ｂの切換を行なう。
【００１９】
リモコン３には、機器本体１への操作入力を行なうスイッチ５や、操作内容や機器本体１の動作状態を表示する表示部６を有している。
【００２０】
機器本体１が動作中は、リモコン３での表示に大きな電力を必要とするため、電源２の電源ブロック２ａ，２ｂが共に電力を供給し、一方、機器本体１がスタンバイ状態でリモコン表示に大きな電力を必要としない時は、電源２の電源ブロック２ａのみが電力を供給するようにして、電源ブロック２ｂへの入力を切断することにより、同電源ブロック２ｂで消費する電力を削減することができる。
【００２１】
ここで、電源ブロックの数を増やせば、より適切な電力制御を行なうことができる。
【００２２】
また、電源ブロックを切替えずに電源ブロック自体の電源容量を可変させることにより同様の効果を得ることもできる。
【００２３】
図３は他の実施例を示し、１は機器本体、２は機器本体１に内蔵された電源、３はリモコンである。
【００２４】
電源２は複数の異なる電圧を出力する電源ブロック２ｃ，２ｄを有しており、コントローラ４がこれら電源ブロック２ｃ，２ｄの切換を行なう。
【００２５】
リモコン３には、機器本体１への操作入力を行なうスイッチ５や、操作内容や機器本体１の動作状態を表示する表示部６を有している。
【００２６】
機器本体１が動作中は、リモコン３での表示に大きな電力を必要とするため、電源２の中の出力電圧の高い電源ブロック２ｃから電力を供給し、機器本体１がスタンバイ状態で、リモコン表示に大きな電力を必要としない時は、電源２の中の出力電圧の低い電源ブロック２ｄから電力を供給するようにして、電源ブロック２ｃへの入力を切断することにより電源ブロック２ｃで消費する電力を削減することができる。
【００２７】
ここで、電源ブロックを切替えずに電源ブロック自体の電源電圧を可変させることにより同様の効果を得ることもできる。
【００２８】
また、複数のリモコンを有している場合は、リモコン毎の状態に応じて、リモコン毎の電源電圧をコントロールすれば、より、きめ細かな電力制御を行うことができる。
【００２９】
さらに、電源２から供給する、機器本体１内蔵の他のセンサーやアクチュエータ等、他の機器７への電源をリモコン３の電圧切り替えとは関係なしに定電圧で行えば、安定した制御が行える。
【００３０】
また、リモコン３への電圧同様に可変すれば、より細かな電力制御を行うことも可能になる。
【００３１】
図４は、図３の電源２の電源ブロック２ｃと電源ブロック２ｄとの切替えをダイオード８を介して行なうものを示したもので、高い出力電圧を供給する電源ブロック２ｃの出力側にダイオード８のカソードを、低い出力電圧を供給する電源ブロック２ｄの出力側にアノードを接続することにより、電源ブロックの出力側を切替えること無しに、電源ブロック２ｃが電圧を供給している時はリモコン３に高い電圧が供給され、電源ブロック２ｃが電圧を供給していない時は電源ブロック２ｄから低い電圧がリモコン３に供給される。
【００３２】
従って、大きな電力を必要としないときには、電源ブロック２ｃを停止させれば、自動的に低い電圧を供給すると同時に無駄な電力も削減できる。
【００３３】
また、高い電圧を供給する時に電源ブロック２ｄを停止させれば、動作時の電力の削減も可能である。
【００３４】
【発明の効果】
以上のように本発明によれば、システムの状態に応じて電源の容量、あるいは電源の出力電圧を変化させることにより、消費電力を低減させることができるという有利な効果を有する。
【図面の簡単な説明】
【図１】従来例の遠隔制御システムのブロック図
【図２】本発明の一実施例としての遠隔制御システムのブロック図
【図３】本発明の他の実施例としての遠隔制御システムのブロック図
【図４】本発明の他の実施例図３を展開した遠隔制御システムのブロック図
【符号の説明】
１  機器本体
２  電源
２ａ，２ｂ，２ｃ，２ｄ  電源ブロック
３  リモコン
４  コントローラ
【図１】
2004180104.tif 000003
【図２】
2004180104.tif 000004
【図３】
2004180104.tif 000005
【図４】
2004180104.tif 000006